(57)【要約】【課題】１つの光スイッチが動作不良となっても光伝送路を切り替えることができる光スイッチ装置を提供する。【解決手段】光スイッチ装置５は、入力側の２本の光ファイバの端部を保持する第１のコネクタ５１と、入力側の２本の光ファイバの端部とそれぞれ光学的に結合する出力側の２本の光ファイバの端部を保持する第２のコネクタ５２とを有し、第１のコネクタ５１を第２のコネクタ５２に対して相対的に移動させることで光学的に結合する光伝送路を切り替える２つの光スイッチ５０Ａ、５０Ｂを備え、２つの光スイッチ５０Ａ、５０Ｂを直列に接続したものである。【選択図】図２
2014106237.tif 000002
【特許請求の範囲】
【請求項１】
２つの光伝送路の端部を保持する第１のコネクタと、前記２つの光伝送路の端部とそれぞれ光学的に結合する２つの光伝送路の端部を保持する第２のコネクタとを有し、前記第１のコネクタを前記第２のコネクタに対して相対的に移動させることで光学的に結合する光伝送路を切り替える２つの光スイッチを備え、
前記２つの光スイッチは、直列に接続されて構成された光スイッチ装置。
【請求項２】
前記２つの光スイッチのうち一方の光スイッチは、通電時に前記第１のコネクタ側の前記２つの光伝送路の端部と前記第２のコネクタ側の前記２つの光伝送路の端部とを光学的に結合し、非通電時に光学的に結合する光伝送路を切り替える第１の駆動部を備え、
前記２つの光スイッチのうち他方の光スイッチは、通電時又は非通電時に前記第１のコネクタ側の前記２つの光伝送路の端部と前記第２のコネクタ側の前記２つの光伝送路の端部とを光学的に結合し、非通電時又は通電時に光学的に結合する光伝送路を切り替える第２の駆動部を備えた請求項１に記載の光スイッチ装置。
【請求項３】
前記２つの光スイッチ間は、２つの光伝送路によって接続され、
前記２つの光スイッチ間を接続する前記２つの光伝送路の伝送状態を検出する検出部と、
非通電時に前記検出部の検出結果に基づいて光伝送路の切替えを行うように前記第２の駆動部を制御する制御部と、
を更に備えた請求項２に記載の光スイッチ装置。
【請求項４】
前記２つの光スイッチのうち前段に接続された第１の光スイッチの前記第２のコネクタが保持する前記２つの光伝送路のうち一方の光伝送路は、前記２つの光スイッチのうち後段に接続された第２の光スイッチの前記第１のコネクタに接続され、
前記第１の光スイッチの前記第２のコネクタが保持する前記２つの光伝送路のうちの他方の光伝送路と前記第２の光スイッチの前記第２のコネクタが保持する前記２つの光伝送路のうち一方の光伝送路とが入力側に接続された光合波器を、
更に備えた請求項２に記載の光スイッチ装置。
【請求項５】
光送信器及び光受信器を有する複数のネットワーク構成機器が光伝送路によってループ状に接続された光通信ネットワークの前記ネットワーク構成機器に適用され、
前記２つの光スイッチのうち上流側の光スイッチの前記第１のコネクタが保持する前記２つの光伝送路のうち一方の光伝送路は、前記光送信器に接続され、他方の光伝送路は上流側の前記ネットワーク構成機器に接続され、
前記２つの光スイッチのうち下流側の光スイッチの前記第２のコネクタが保持する前記２つの光伝送路のうち一方の光伝送路は、前記光受信器に接続され、他方の光伝送路は下流側の前記ネットワーク構成機器に接続された請求項１から４のいずれか１項に記載の光スイッチ装置。
【発明の詳細な説明】
【技術分野】
【０００１】
本発明は、光伝送路を切り換える光スイッチ装置に関する。
【背景技術】
【０００２】
近年、ループ構成の光通信ネットワークにおいて、１つのノードが停電やメンテナンスの都合で停止すると、ネットワーク全体の通信が途絶えることから、光スイッチで光伝送路をバイパスすることが行われている（例えば、特許文献１参照。）。
【０００３】
このような光スイッチとしては、上流側と下流側にそれぞれ接続される一対の第１の光ファイバの端部が固定される第１のコネクタと、ノードの光送信器及び光受信器に接続された一対の第２の光ファイバの端部が固定されるともに、第１のコネクタと光学的に結合される第２のコネクタと、短絡用のＵ字状の第３の光ファイバの端部が固定されるとともに、第１のコネクタと光学的に結合される第３のコネクタと、第３のコネクタと光学的に結合させるために、第１のコネクタを第３のコネクタに向けて移動させる弾性体と、弾性体による第１のコネクタの移動を電気部品によって規制する規制機構とを有し、停電が発生した場合、規制機構による規制が解除されるとともに、弾性体によって第１のコネクタが移動して第３のコネクタと光学的に結合されるように構成されている。
【先行技術文献】
【特許文献】
【０００４】
【特許文献１】特開２０１２−２０８２７１号公報
【発明の概要】
【発明が解決しようとする課題】
【０００５】
しかし、従来の光通信ネットワークに適用された光スイッチによると、光スイッチの構成部品が動作不良となった場合、光伝送路を切り替えられないという問題がある。
【０００６】
したがって、本発明の目的は、１つの光スイッチが動作不良となっても光伝送路を切り替えることができる光スイッチ装置を提供することにある。
【課題を解決するための手段】
【０００７】
本発明の一態様は、上記目的を達成するため、以下の光スイッチ装置を提供する。
【０００８】
［１］２つの光伝送路の端部を保持する第１のコネクタと、前記２つの光伝送路の端部とそれぞれ光学的に結合する２つの光伝送路の端部を保持する第２のコネクタとを有し、前記第１のコネクタを前記第２のコネクタに対して相対的に移動させることで光学的に結合する光伝送路を切り替える２つの光スイッチを備え、前記２つの光スイッチは、直列に接続されて構成された光スイッチ装置。
［２］前記２つの光スイッチのうち一方の光スイッチは、通電時に前記第１のコネクタ側の前記２つの光伝送路の端部と前記第２のコネクタ側の前記２つの光伝送路の端部とを光学的に結合し、非通電時に光学的に結合する光伝送路を切り替える第１の駆動部を備え、前記２つの光スイッチのうち他方の光スイッチは、通電時又は非通電時に前記第１のコネクタ側の前記２つの光伝送路の端部と前記第２のコネクタ側の前記２つの光伝送路の端部とを光学的に結合し、非通電時又は通電時に光学的に結合する光伝送路を切り替える第２の駆動部を備えた前記［１］に記載の光スイッチ装置。
［３］前記２つの光スイッチ間は、２つの光伝送路によって接続され、前記２つの光スイッチ間を接続する前記２つの光伝送路の伝送状態を検出する検出部と、非通電時に前記検出部の検出結果に基づいて光伝送路の切替えを行うように前記第２の駆動部を制御する制御部と、を更に備えた前記［２］に記載の光スイッチ装置。
［４］前記２つの光スイッチのうち前段に接続された第１の光スイッチの前記第２のコネクタが保持する前記２つの光伝送路のうち一方の光伝送路は、前記２つの光スイッチのうち後段に接続された第２の光スイッチの前記第１のコネクタに接続され、前記第１の光スイッチの前記第２のコネクタが保持する前記２つの光伝送路のうちの他方の光伝送路と前記第２の光スイッチの前記第２のコネクタが保持する前記２つの光伝送路のうち一方の光伝送路とが入力側に接続された光合波器を、更に備えた前記［２］に記載の光スイッチ装置。
［５］光送信器及び光受信器を有する複数のネットワーク構成機器が光伝送路によってループ状に接続された光通信ネットワークの前記ネットワーク構成機器に適用され、前記２つの光スイッチのうち上流側の光スイッチの前記第１のコネクタが保持する前記２つの光伝送路のうち一方の光伝送路は、前記光送信器に接続され、他方の光伝送路は上流側の前記ネットワーク構成機器に接続され、前記２つの光スイッチのうち下流側の光スイッチの前記第２のコネクタが保持する前記２つの光伝送路のうち一方の光伝送路は、前記光受信器に接続され、他方の光伝送路は下流側の前記ネットワーク構成機器に接続された前記［１］から［４］のいずれかに記載の光スイッチ装置。
【発明の効果】
【０００９】
本発明によれば、１つの光スイッチが動作不良となっても光伝送路を切り替えることができる。
【図面の簡単な説明】
【００１０】
【図１】図１は、本発明の第１の実施の形態に係る光スイッチ装置が適用された光通信ネットワークの要部を示す図である。
【図２】図２は、第１の実施の形態に係る光スイッチ装置の概略の構成例を示す図である。
【図３】図３は、第１の実施の形態に係る第１及び第２の光スイッチの動作前の状態を示し、（ａ）は、平面図、（ｂ）は、（ａ）のＡ−Ａ線断面図、（ｃ）は、（ａ）のＢ−Ｂ線断面図である。
【図４】図４は、第１の実施の形態に係る第１及び第２の光スイッチの動作後の状態を示し、（ａ）は、平面図、（ｂ）は、（ａ）のＡ−Ａ線断面図である。
【図５】図５（ａ）は、非通電時の第１の光スイッチの動作を示す図、図５（ｂ）は、非通電時の第２の光スイッチの動作を示す図である。
【図６】図６は、本発明の第２の実施の形態に係る光スイッチ装置が適用されたノードの概略の構成例を示す図である。
【図７】図７（ａ）〜（ｃ）は、第２の実施の形態に係る光スイッチの動作の一例を示し、（ａ）は、第１及び第２の光スイッチの正常な動作を示す図、（ｂ）は、第１の光スイッチが動作不良の場合の第２の光スイッチの動作を示す図、（ｃ）は第２の光スイッチが動作不良の場合の第１の光スイッチの動作を示す図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［実施の形態の要約］
本実施の形態の光スイッチ装置は、２つの光伝送路の端部を保持する第１のコネクタと、前記２つの光伝送路の端部とそれぞれ光学的に結合する２つの光伝送路の端部を保持する第２のコネクタとを有し、前記第１のコネクタを前記第２のコネクタに対して相対的に移動させることで光学的に結合する光伝送路を切り替える光スイッチを備えた光スイッチ装置において、２つの前記光スイッチを直列に接続した光スイッチ装置である。
【００１３】
［第１の実施の形態］
図１は、本発明の第１の実施の形態に係る光スイッチ装置が適用された光通信ネットワークの要部を示す図である。
【００１４】
この光通信ネットワーク１は、例えば、図示しない親局及び複数のノード（子局）２を光ファイバ４によりループ状に接続したループネットワークである。ここで、光ファイバ４は、光伝送路の一例である。親局及びノードは、ネットワーク構成機器の一例である。
【００１５】
各ノード２は、光送信器３Ａと、光受信器３Ｂと、直列に接続された後述する第１及び第２の光スイッチを有する光スイッチ装置５と、光送信器３Ａ、光受信器３Ｂ、光スイッチ装置５等に必要な電源を供給する電源ユニット６とを備える。
【００１６】
図２は、第１の実施の形態に係る光スイッチ装置５の概略の構成例を示す図である。
【００１７】
光スイッチ装置５は、上流側に接続された光ファイバ４Ａと光送信器３Ａに接続された光ファイバ４Ｂとが入力側に接続された第１の光スイッチ５０Ａと、第１の光スイッチ５０Ａの出力側に接続された２本の光ファイバ４Ｃ、４Ｄと、２本の光ファイバ４Ｃ、４Ｄが入力側に接続され、光受信器３Ｂに接続された光ファイバ４Ｅと下流側に接続された光ファイバ４Ｆとが出力側に接続された第２の光スイッチ５０Ｂと、光ファイバ４Ｃ、４Ｄを伝送する光の一部を取り出すタップカプラ７Ａ、７Ｂと、バッテリーを有して第２の光スイッチ５０Ｂに電源を供給する電源部８と、タップカプラ７Ａ、７Ｂが取り出した光の強度を比較する比較器９と、比較器９による比較結果に応じて電源部８を制御する制御部１０とを備える。ここで、光ファイバ４Ａ〜４Ｆは、光伝送路の一例である。光伝送路としては、例えば光導波路でもよい。
【００１８】
第１の光スイッチ５０Ａは、電源ユニット６から電源が供給されるようになっており、通電時には、入力側の光ファイバ４Ａの端部と出力側の光ファイバ４Ｃの端部とを光学的に結合するとともに、入力側の光ファイバ４Ｂの端部と出力側の光ファイバ４Ｄの端部とを光学的に結合し、非通電時には、入力側の光ファイバ４Ａの端部と出力側の光ファイバ４Ｄの端部とを光学的に結合するとともに、入力側の光ファイバ４Ｂの端部と出力側の光ファイバ４Ｃの端部とは光学的に結合していない状態にする。
【００１９】
第２の光スイッチ５０Ｂは、制御部１０の制御により電源部８から電源が供給されるようになっており、通電時には、入力側の光ファイバ４Ｃの端部と出力側の光ファイバ４Ｅの端部とを光学的に結合するとともに、入力側の光ファイバ４Ｄの端部と出力側の光ファイバ４Ｆの端部とを光学的に結合し、非通電時には、入力側の光ファイバ４Ｃの端部と出力側の光ファイバ４Ｆの端部とを光学的に結合するとともに、入力側の光ファイバ４Ｄの端部と出力側の光ファイバ４Ｅの端部とを光学的に結合していない状態にする。
【００２０】
電源ユニット６は、商用電源から光送信器３Ａ、光受信器３Ｂ、光スイッチ装置５に必要な電源を生成して供給するとともに、停電時には、停電を示す停電信号を制御部１０に出力する。また、電源ユニット６は、商用電源が停電したとき、電源部８、比較器９及び制御部１０を動作させるために必要な電源を供給する内蔵バッテリを有する。
【００２１】
タップカプラ７Ａ、７Ｂは、光ファイバ４Ｃ、４Ｄを伝送する光の一部を取り出して出力する。タップカプラ７Ａ、７Ｂとしては、光伝送路の損失に配慮し、例えば分岐比５／９５程度のものを用いる。
【００２２】
比較器９は、タップカプラ７Ａ、７Ｂが取り出した光をそれぞれ受光する２つの受光素子（図示省略）と、２つの受光素子が出力する電気信号のレベル差を示す差信号を制御部１０に出力する。ここで、タップカプラ７Ａ、７Ｂ及び比較器９は、光ファイバ４Ｃ、４Ｄの伝送状態を検出する検出部の一例である。
【００２３】
制御部１０は、停電時、メンテナンス等の非通電時に検出部の検出結果に基づいて光伝送路の切替えを行うように第２の光スイッチ５０Ｂの駆動部５４を制御する。すなわち、制御部１０は、電源ユニット６から停電を示す停電信号が出力された場合に、比較器９からの差信号が閾値以上であるか否かを判断し、差信号が閾値以上であるときは、第１の光スイッチ５０Ａが正常に動作していると判断し、第２の光スイッチ５０Ｂの駆動部５４に電源を供給するように電源部８を制御し、差信号が閾値未満であるときは、第１の光スイッチ５０Ａが正常に動作していないと判断し、第２の光スイッチ５０Ｂの駆動部５４への電源供給を停止するように電源部８を制御する。
【００２４】
（光スイッチの構成）
図３は、第１及び第２の光スイッチ５０Ａ、５０Ｂの動作前の状態を示し、（ａ）は、平面図、（ｂ）は、（ａ）のＡ−Ａ線断面図、（ｃ）は、（ａ）のＢ−Ｂ線断面図である。図４は、第１及び第２の光スイッチ５０Ａ、５０Ｂの動作後の状態を示し、（ａ）は、平面図、（ｂ）は、（ａ）のＡ−Ａ線断面図である。
【００２５】
第１及び第２の光スイッチ５０Ａ、５０Ｂは、接続される光ファイバのみが異なり、他は同一に構成されている。第１の光スイッチ５０Ａは、入力側の光ファイバ４Ａ、４Ｂの端部を所定のピッチ（例えば２５０μｍ）で保持する第１のコネクタ５１と、出力側の光ファイバ４Ｃ、４Ｄの端部を所定のピッチ（例えば２５０μｍ）で保持する第２のコネクタ５２と、第１のコネクタ５１及び第２のコネクタ５２を位置決めする一対のガイドピン５３と、第１のコネクタ５１を第２のコネクタ５２に対してスライド（移動）させる駆動部５４とを備える。
【００２６】
駆動部５４は、第１のコネクタ５１に取り付けられた磁性材料からなる可動ブロック５４０と、可動ブロック５４０に連結された駆動軸５４１と、可動ブロック５４０に対向して設けられ、非通電時に可動ブロック５４０を磁力によって引き込む永久磁石５４２と、通電時に永久磁石５４２による磁力に抗して駆動軸５４１を押し出すソレノイド５４３とを備える。ここで、第１の光スイッチ５０Ａの駆動部５４は、第１の駆動部の一例である。
【００２７】
第２の光スイッチ５０Ｂは、入力側の光ファイバ４Ｃ、４Ｄの端部を保持する第１のコネクタ５１と、出力側の光ファイバ４Ｅ、４Ｆの端部を保持する第２のコネクタ５２と、一対のガイドピン５３と、駆動部５４とを備える。第２の光スイッチ５０Ｂの駆動部５４は、第１の光スイッチ５０Ａの駆動部５４と同様に、可動ブロック５４０、駆動軸５４１、永久磁石５４２及びソレノイド５４３を備える。ここで、第２の光スイッチ５０Ｂの駆動部５４は、第２の駆動部の一例である。
【００２８】
第１のコネクタ５１の接続面５１ｂは、第２のコネクタ５２の接続面５２ｂに対してスライド可能に構成されている。ガイドピン５３は、一方の側が第２のコネクタ５２の円形の嵌合穴５２ａに嵌合され、他方の側が図３（ｂ）に示すように第１のコネクタ５１に形成された長穴５１ａに嵌合され、例えば２５０μｍスライド可能になっている。第１及び第２のコネクタ５１、５２の接続面５１ｂ、５２ｂは、スライド中の図示しないバネによって接触状態を保つように構成されている。
【００２９】
（第１の実施の形態の動作）
次に、第１の実施の形態の動作の一例を図１〜図５を参照して説明する。図５（ａ）は、非通電時の第１の光スイッチ５０Ａの動作を示す図、図５（ｂ）は、非通電時の第２の光スイッチ５０Ｂの動作を示す図である。
【００３０】
（１）通常時
通常時は、第１の光スイッチ５０Ａの駆動部５４は、電源ユニット６から電源が供給されている。ソレノイド５４３は、通電されると、図３に示すように、永久磁石５４２の磁力に抗して駆動軸５４１を押し出す。これにより、第１のコネクタ５１の接続面５１ｂと第２のコネクタ５２の接続面５２ｂとは一致し、入力側の光ファイバ４Ａ、４Ｂと出力側の光ファイバ４Ｃ、４Ｄとは、光学的に結合している。
【００３１】
通常時は、第２の光スイッチ５０Ｂの駆動部５４は、電源部８から電源が供給されている。ソレノイド５４３は、通電されると、図３に示すように、永久磁石５４２の磁力に抗して駆動軸５４１を押し出す。これにより、第１のコネクタ５１の接続面５１ｂと第２のコネクタ５２の接続面５２ｂとは一致し、入力側の光ファイバ４Ｃ、４Ｄと出力側の光ファイバ４Ｅ、４Ｆとは、光学的に結合している。
【００３２】
そして、上流側から光信号が光ファイバ４Ａを介してノード２に送信されると、その光信号は、光ファイバ４Ｃ、４Ｅを介して光受信器３Ｂに伝送される。ノード２では、光信号を処理した後、光送信器３Ａから光信号を出力する。光送信器３Ａから出力された光信号は、光ファイバ４Ｂ、４Ｄ、４Ｆを介して下流側に伝送される。
【００３３】
（２）停電時
（２−１）第１の光スイッチの正常動作
停電時は、電源ユニット６から第１の光スイッチ５０Ａの駆動部５４に通電されなくなる。ソレノイド５４３は、通電が停止されると、図４に示すように、永久磁石５４２が駆動軸５４１を引き込み、第１のコネクタ５１がソレノイド５４３側に移動し、図５（ａ）に示すように、入力側の光ファイバ４Ａと出力側の光ファイバ４Ｄとが光学的に結合する。光ファイバ４Ｂ、４Ｃは、いずれの光ファイバとも光学的に結合していない状態になる。
【００３４】
停電になると、電源ユニット６は、停電信号と電力を制御部１０に出力する。制御部１０は、電源ユニット６から停電信号が出力されると、比較器９からの差信号が閾値以上であるか否かを判断し、差信号が閾値以上であるときは、第１の光スイッチ５０Ａが正常に動作していると判断し、第２の光スイッチ５０Ｂの駆動部５４への電源供給を継続するように電源部８を制御する。
【００３５】
第２の光スイッチ５０Ｂの駆動部５４は、電源部８から電源が供給されているので、第１のコネクタ５１は移動せず、入力側の光ファイバ４Ｃ、４Ｄと出力側の光ファイバ４Ｅ、４Ｆとは、光学的に結合している。
【００３６】
そして、上流側から光信号が光ファイバ４Ａを介してノード２に送信されると、その光信号は、ノード２のネットワーク側を経由せずにバイパスして光ファイバ４Ｄ及び光ファイバ４Ｆを介して下流側に伝送される。
【００３７】
（２−２）第１の光スイッチの動作不良
停電時に第１の光スイッチ５０Ａが動作しない場合について説明する。
【００３８】
制御部１０は、電源ユニット６から停電信号が出力された場合、比較器９からの差信号が閾値未満であるときは、第１の光スイッチ５０Ａが正常に動作していないと判断し、第２の光スイッチ５０Ｂの駆動部５４への電源供給を停止するように電源部８を制御する。
【００３９】
電源部８から第２の光スイッチ５０Ｂの駆動部５４に電源が供給されなくなると、図４に示すように、永久磁石５４２が駆動軸５４１を引き込み、第１のコネクタ５１がソレノイド５４３側に移動し、図５（ｂ）に示すように、入力側の光ファイバ４Ｃと出力側の光ファイバ４Ｆとが光学的に結合する。光ファイバ４Ｄ、４Ｅは、いずれの光ファイバとも光学的に結合していない状態になる。
【００４０】
そして、上流側から光信号が光ファイバ４Ａを介してノード２に送信されると、その光信号は、ノード２のネットワーク側を経由せずに光ファイバ４Ｃ、４Ｆを介して下流側に伝送される。
【００４１】
（第１の実施の形態の効果）
第１の実施の形態によれば、以下の効果を奏する。
（ａ）停電やメンテナンス等により電源ユニット６から光スイッチ装置５に電源が供給されなくなっても、第１の光スイッチ５０Ａによる光伝送路の切り替えによって上流からの光信号をバイパスさせて下流側に伝送することができる。
（ｂ）停電やメンテナンス等により電源ユニット６から光スイッチ装置５に電源が供給されなくなり、さらに第１の光スイッチ５０Ａが動作不良（例えば故障）になっても、バックアップ用の第２の光スイッチ５０Ｂによる光伝送路の切り替えによって上流からの光信号をバイパスさせて下流側に伝送することができる。
【００４２】
上記実施の形態では、第２の光スイッチ５０Ｂの駆動部５４は、電源が供給されないとき、第１のコネクタ５１がスライドするものとしたが、電源が供給されたとき、第１のコネクタ５１がスライドするものとしてもよい。
【００４３】
また、上記実施の形態では、第２の光スイッチ５０Ｂをバックアップ用としたが、第１の光スイッチ５０Ａをバックアップ用としてもよい。この場合は、タップカプラ７Ａ、７Ｂを第２の光スイッチ５０Ｂから出力される光ファイバ４Ｅ、４Ｆに設け、制御部１０が第１の光スイッチ５０Ａの駆動部５４を制御する。この構成においても、第１の光スイッチ５０Ａの駆動部５４は、電源が供給されたとき、第１のコネクタ５１がスライドするものとしてもよい。
【００４４】
［第２の実施の形態］
図６は、本発明の第２の実施の形態に係る光スイッチ装置が適用されたノードの概略の構成例を示す図である。第１の実施の形態では、第２の光スイッチ５０Ｂを第１の光スイッチ５０Ａのバックアップ用としたが、第２の実施の形態は、第１及び第２の光スイッチ５０Ａ、５０Ｂの双方をバックアップ用としたものである。
【００４５】
このノード２は、第１の実施の形態と同様に、光送信器３Ａ、光受信器３Ｂ、電源ユニット６及び光スイッチ装置５を有する。
【００４６】
光スイッチ装置５は、第１の実施の形態と同様に、第１及び第２の光スイッチ５０Ａ、５０Ｂを有し、さらに光合波器１１を備える。また、光スイッチ装置５は、第１の実施の形態とは、光ファイバの配線が異なる。
【００４７】
すなわち、光スイッチ装置５は、上流側に接続された光ファイバ４Ａと光送信器３Ａに接続された光ファイバ４Ｂとが入力側に接続された第１の光スイッチ５０Ａと、第１の光スイッチ５０Ａの出力側に接続された２本の光ファイバ４Ｃ、４Ｄと、光ファイバ４Ｃとダミー用の光ファイバ１４Ｄが入力側に接続され、光受信器３Ｂに接続された光ファイバ４Ｅと光ファイバ４Ｆとが出力側に接続された第２の光スイッチ５０Ｂと、光ファイバ４Ｄの端部と光ファイバ１４Ｆの端部が入力側に接続され、出力側に光ファイバ４Ｆが接続された光合波器１１とを備える。
【００４８】
光合波器１１は、光ファイバ４Ｄ、１４Ｆを介して入力した光を合波して光ファイバ４Ｆに出力する。
【００４９】
本実施の形態の第１及び第２の光スイッチ５０Ａ、５０Ｂの駆動部５４には、電源ユニット６から電源が供給されるようになっており、第１の光スイッチ５０Ａは、通電時には、入力側の光ファイバ４Ａの端部と出力側の光ファイバ４Ｃの端部とを光学的に結合するとともに、入力側の光ファイバ４Ｂの端部と出力側の光ファイバ４Ｄの端部とを光学的に結合し、非通電時には、入力側の光ファイバ４Ａの端部と出力側の光ファイバ４Ｄの端部とを光学的に結合するとともに、入力側の光ファイバ４Ｂの端部と出力側の光ファイバ４Ｃの端部とは光学的に結合していない状態になる。
【００５０】
第２の光スイッチ５０Ｂの駆動部５４は、通電時には、入力側の光ファイバ４Ｃの端部と出力側の光ファイバ４Ｅの端部とを光学的に結合するとともに、入力側の光ファイバ１４Ｄの端部と出力側の光ファイバ１４Ｆの端部とを光学的に結合し、非通電時には、入力側の光ファイバ４Ｃの端部と出力側の光ファイバ１４Ｆの端部とを光学的に結合するとともに、入力側の光ファイバ１４Ｄの端部と出力側の光ファイバ４Ｅの端部とを光学的に結合していない状態になる。
【００５１】
（第２の実施の形態の動作）
図７（ａ）〜（ｃ）は、第２の実施の形態の動作の一例を示す図である。
【００５２】
（１）通常時
通常時は、第１の光スイッチ５０Ａの駆動部５４は、電源ユニット６から電源が供給されている。ソレノイド５４３は、通電されると、永久磁石５４２の磁力に抗して駆動軸５４１を押し出す。これにより、第１のコネクタ５１の接続面５１ｂと第２のコネクタ５２の接続面５２ｂとは一致し、図６に示すように、入力側の光ファイバ４Ａ、４Ｂと出力側の光ファイバ４Ｃ、４Ｄとは、光学的に結合している。
【００５３】
通常時は、第２の光スイッチ５０Ｂの駆動部５４は、電源ユニット６から電源が供給されている。ソレノイド５４３は、通電されると、永久磁石５４２の磁力に抗して駆動軸５４１を押し出す。これにより、第１のコネクタ５１の接続面５１ｂと第２のコネクタ５２の接続面５２ｂとは一致し、図６に示すように、入力側の光ファイバ４Ｃ、１４Ｄと出力側の光ファイバ４Ｅ、１４Ｆとは、光学的に結合している。
【００５４】
そして、上流側から光信号が光ファイバ４Ａを介してノード２に送信されると、その光信号は、光ファイバ４Ｃ、４Ｅを介して光受信器３Ｂに伝送される。ノード２では、光信号を処理した後、光送信器３Ａから光信号を出力する。光送信器３Ａから出力された光信号は、光ファイバ４Ｂ、４Ｄ、４Ｆを介して下流側に伝送される。
【００５５】
（２）停電時
（２−１）第１及び第２の光スイッチの正常動作
停電時は、電源ユニット６から第１及び第２の光スイッチ５０Ａ、５０Ｂの駆動部５４に通電されなくなる。ソレノイド５４３は、通電が停止されると、永久磁石５４２が駆動軸５４１を引き込み、図７（ａ）に示すように、第１のコネクタ５１がソレノイド５４３側に移動し、第１の光スイッチ５０Ａの入力側の光ファイバ４Ａと出力側の光ファイバ４Ｄとが光学的に結合し、第２の光スイッチ５０Ｂの入力側の光ファイバ４Ｃと出力側の光ファイバ１４Ｆとが光学的に結合する。
【００５６】
そして、上流側から光信号が光ファイバ４Ａを介してノード２に送信されると、その光信号は、ノード２のネットワーク側を経由せずにバイパスして光ファイバ４Ｄ、４Ｆを介して下流側に伝送される。
【００５７】
（２−２）第１の光スイッチの動作不良及び第２の光スイッチの正常動作
第１の光スイッチ５０Ａが動作不良（例えば故障）で第２の光スイッチ５０Ｂが正常に動作した場合は、図７（ｂ）に示すように、第１の光スイッチ５０Ａの第１のコネクタ５１はスライドしないために、入力側の光ファイバ４Ａ、４Ｂと出力側の光ファイバ４Ｃ、４Ｄとが光学的に結合し、第２の光スイッチ５０Ｂの第１のコネクタ５１がスライドして入力側の光ファイバ４Ｃと出力側の光ファイバ１４Ｆとが光学的に結合する。
【００５８】
そして、上流側から光信号が光ファイバ４Ａを介してノード２に送信されると、その光信号は、ノード２のネットワーク側を経由せずにバイパスして光ファイバ４Ｃ、１４Ｆ、４Ｆを介して下流側に伝送される。
【００５９】
（２−３）第１の光スイッチの正常動作及び第２の光スイッチの動作不良
第１の光スイッチ５０Ａが正常に動作し、第２の光スイッチ５０Ｂが動作不良（例えば故障）の場合は、図７（ｃ）に示すように、第１の光スイッチ５０Ａの第１のコネクタ５１はスライドして入力側の光ファイバ４Ａと出力側の光ファイバ４Ｄとが光学的に結合し、第２の光スイッチ５０Ｂの第１のコネクタ５１がスライドしないために入力側の光ファイバ４Ｃ、１４Ｄと出力側の光ファイバ４Ｅ、１４Ｆとが光学的に結合する。
【００６０】
そして、上流側から光信号が光ファイバ４Ａを介してノード２に送信されると、その光信号は、ノード２のネットワーク側を経由せずにバイパスして光ファイバ４Ｄ、４Ｆを介して下流側に伝送される。
【００６１】
（第２の実施の形態の効果）
第２の実施の形態によれば、以下の効果を奏する。
（ａ）停電やメンテナンス等により電源ユニット６から光スイッチ装置５に電源が供給されなくなっても、第１及び第２の光スイッチ５０Ａ、５０Ｂによる光伝送路の切り替えによって上流からの光信号をバイパスさせて下流側に伝送することができる。
（ｂ）停電やメンテナンス等により電源ユニット６から光スイッチ装置５に電源が供給されなくなり、さらに第１及び第２の光スイッチ５０Ａ、５０Ｂのうちいずれか一方が動作不良になっても、他方の第１の光スイッチ５０Ａ又は第２の光スイッチ５０Ｂによる光伝送路の切り替えによって上流側からの光信号をバイパスさせて下流側に伝送することができる。
【００６２】
なお、本発明の実施の形態は、上記各実施の形態に限定されるものではなく、本発明の要旨を変更しない範囲内で種々の変形、実施が可能である。例えば、上記各実施の形態では、第１のコネクタ５１を第２のコネクタ５２に対してスライドさせたが、第２のコネクタ５２を第１のコネクタ５１に対してスライドさせてもよい。
【００６３】
また、上記各実施の形態では、直列に接続した光スイッチの数を２としたが、３つ以上でもよい。
【００６４】
さらに、上記各実施の形態では、各光スイッチは、入力側の２本の光ファイバと出力側の２本の光ファイバとを結合させたが、入力側及び／又は出力側の光ファイバの数を３本以上としてもよい。
【００６５】
光伝送路の切替えは、ＭＥＭＳ（Micro-Electro-Mechanical Systems）技術によるミラーやプリズムの移動によって反射光路を切り替えてもよい。
【００６６】
上記各実施の形態では、光スイッチの可動ブロックを磁力によってソレノイド側に引き込んだが、バネによって引き込んでもよい。
【００６７】
光スイッチの動作状態をランプの点灯等によって表示してもよい。
【００６８】
また、例えば本発明の要旨を変更しない範囲内で、上記実施の形態の構成要素の一部を省くことが可能である。
【符号の説明】
【００６９】
１…光通信ネットワーク、２…ノード、３Ａ…光受信器３Ｂ…光受信器、４、４Ａ〜４Ｆ…光ファイバ、５…光スイッチ装置、６…電源ユニット、７Ａ、７Ｂ…タップカプラ、８…電源部、９…比較器、１０…制御部、１１…光合波器、１４Ｄ…ダミー用の光ファイバ、１４Ｆ…光ファイバ、５０Ａ…第１の光スイッチ、５０Ｂ…第２の光スイッチ、５１…第１のコネクタ、５１ａ…長穴、５１ｂ…接続面、５２…第２のコネクタ、５２ａ…嵌合穴、５２ｂ…接続面、５３…ガイドピン、５４…駆動部、５４０…可動ブロック、５４１…駆動軸、５４２…永久磁石、５４３…ソレノイド
【図１】
2014106237.tif 000003
【図２】
2014106237.tif 000004
【図３】
2014106237.tif 000005
【図４】
2014106237.tif 000006
【図５】
2014106237.tif 000007
【図６】
2014106237.tif 000008
【図７】
2014106237.tif 000009